(57)【特許請求の範囲】
【請求項１】
胴縁下地に支持される支持面と、上側となる上面と、壁面材を取り付ける取付面とを有する水切り胴縁を備えた水切り胴縁構造において、
前記上面には、前記取付面および前記支持面のうちいずれか一方の面側から他方の面側に向かって下方に傾斜する勾配が形成されるとともに、
前記他方の面とそれに対向する前記胴縁下地または前記壁面材との間には、前記上面の前記他方の面側に集まった雨水を下方へ排水する排水路が設けられていることを特徴とする水切り胴縁構造。
【請求項２】
胴縁下地に支持される支持面と、上側となる上面と、壁面材を取り付ける取付面とを有する水切り胴縁において、
前記上面には、前記取付面および前記支持面のうちいずれか一方の面側から他方の面側に向かって下方に傾斜する勾配が形成されていることを特徴とする水切り胴縁。
【請求項３】
請求項２に記載の水切り胴縁において、前記他方の面には、その長手方向と略直交方向の溝が形成されていることを特徴とする水切り胴縁。
【請求項４】
水切り胴縁の厚みに等しい板材を準備し、前記板材の表面に断面略三角形状の切り込みを板材の一側縁に平行に入れて、前記板材を断面略台形の帯状材に分割することを特徴とする水切り胴縁の製造方法。
【請求項５】
水切り胴縁の厚みに等しい板材を準備し、前記板材の表面に切り込みを交互に逆向きとなるようにかつ板材の一側縁に平行に入れて、断面略台形の帯状材に分割することを特徴とする水切り胴縁の製造方法。
【請求項６】
請求項４または５に記載の水切り胴縁の製造方法において、前記両側切断部が表面に対して傾斜した帯状材の長手方向に直交する幅方向中央に切り込みを切断部と平行に入れて、帯状材を二分割することを特徴とする水切り胴縁の製造方法。
【請求項７】
水切り胴縁の厚みに等しい板材を準備し、前記板材の表面に切り込みを傾斜した角度でかつ板材の一側縁に平行に入れて、断面略平行四辺形の帯状材に分割することを特徴とする水切り胴縁の製造方法。
【請求項８】
請求項４から７のいずれかに記載の水切り胴縁の製造方法において、前記板材の表面には、予め前記帯状材に切り出す方向と略直交方向の溝を形成しておくことを特徴とする水切り胴縁の製造方法。
【発明の詳細な説明】
【０００１】
【発明の属する技術分野】
本発明は、水切り胴縁構造、水切り胴縁およびその製造方法に関する。例えば、木造建物等の外壁材の下地となる水切り胴縁構造、水切り胴縁およびその製造方法に関する。
【０００２】
【背景技術】
従来、パネル工法で建てられた木造建物の外壁は、図９に示すように、図示しない建物の基礎の上に胴縁下地用パネル１３を設けて、その外側に全面に亘って防水シート１４を貼り、この防水シート１４の表面に複数の断面矩形の胴縁９０を略水平に取り付けて、その上からサイディングボード等の外壁仕上用の化粧パネル１５を固定することによって構成されていた（例えば、特開平7-158181号公報等参照）。
【０００３】
【発明が解決しようとする課題】
しかし、上記構成では、万一化粧パネル１５の内側に雨水が浸入すると、胴縁９０は断面矩形であるから、浸入した雨水は胴縁９０の上面に溜まってしまうおそれがあった。
【０００４】
本発明の目的は、排水性がよい水切り胴縁構造、水切り胴縁およびその製造方法を提供することにある。
【０００５】
【課題を解決するための手段】
上記目的を達成するため、本発明である水切り胴縁構造、水切り胴縁およびその製造方法は、次の構成を採用する。
本発明を図面を参照して説明すると、請求項１に記載の水切り胴縁構造は、胴縁下地１３に支持される支持面１０Ａと、上側となる上面１０Ｂと、壁面材１５を取り付ける取付面１０Ｃとを有する水切り胴縁１０を備えた水切り胴縁構造において、前記上面には、前記取付面および前記支持面のうちいずれか一方の面１０Ａ側から他方の面１０Ｃ側に向かって下方に傾斜する勾配が形成されるとともに、前記他方の面とそれに対向する前記胴縁下地または前記壁面材との間には、前記上面の前記他方の面側に集まった雨水を下方へ排水する排水路が設けられていることを特徴とする。
【０００６】
この発明によれば、壁面材を通り抜けて浸入した雨水が壁面材裏面を伝って水切り胴縁の上面へ流れ落ちてきても、その雨水は上面の勾配によって取付面および支持面のうちいずれか一方の面側から他方の面側へ流れ、更に他方の面側に設けられた排水路を通って下方に排水されるから、排水性をよくすることができる。したがって、水切り胴縁、胴縁下地および壁面材の湿潤状態を避けることができるから、耐久性が向上する。
特に、上面に取付面側から支持面側に向かって下方に傾斜する勾配を設けた場合は、壁面材裏面の湿潤状態を避けることができ、また、上面に支持面側から取付面側に向かって下方に傾斜する勾配を設けた場合、胴縁下地表面の湿潤状態を避けることができる。
ここにおいて、排水路は、水切り胴縁の他方の面に溝を形成してもよいが、他方の面とそれに対向する胴縁下地または壁面材との間にスペーサを一定間隔置きに介在させて構成してもよい。
【０００７】
請求項２に記載の水切り胴縁は、胴縁下地に支持される支持面と、上側となる上面と、壁面材を取り付ける取付面とを有する水切り胴縁において、前記上面には、前記取付面および前記支持面のうちいずれか一方の面側から他方の面側に向かって下方に傾斜する勾配が形成されていることを特徴とする。
この発明によれば、請求項１と同様に、排水性をよくすることができる。
【０００８】
請求項３に記載の水切り胴縁は、請求項２に記載の水切り胴縁において、前記他方の面には、その長手方向と略直交方向の溝１１が形成されていることを特徴とする。
この発明によれば、上面へ流れ落ちてきた雨水が、他方の面に設けられた溝を通って下方に排水されるから、請求項１と同様に、排水性をよくすることができる。また、この構成であれば、部品点数を少なくすることができる。
【０００９】
請求項４に記載の水切り胴縁の製造方法は、水切り胴縁の厚みに等しい板材３０を準備し、前記板材の表面に断面略三角形状の切り込みを板材の一側縁に平行に入れて、前記板材を断面略台形の帯状材３２に分割することを特徴とする。
この発明によれば、平板材の表面に対して略垂直方向から例えば丸鋸の断面略三角形状の刃を当てるだけで水切り胴縁を製造できる。したがって、表面に対して傾斜した角度に丸鋸の刃を当てる場合に比べて、丸鋸の刃を傷めることなく正確に加工できるので、水切り胴縁を容易に製造することができる。
【００１０】
請求項５に記載の水切り胴縁の製造方法は、水切り胴縁の厚みに等しい板材３０を準備し、前記板材の表面に切り込みを交互に逆向きとなるようにかつ板材の一側縁に平行に入れて、断面略台形の帯状材３２に分割することを特徴とする。
この発明によれば、平板材の表面に対して傾斜した角度で例えば丸鋸の平板状の刃を当てるだけで水切り胴縁を製造できる。したがって、請求項４に記載した水切り胴縁の製造方法に比べて、材料の無駄が少ないから、水切り胴縁を安価に製造することができる。
【００１１】
請求項６に記載の水切り胴縁の製造方法は、請求項４または５に記載の水切り胴縁の製造方法において、前記両側切断部が表面に対して傾斜した帯状材の長手方向に直交する幅方向中央に切り込みを切断部と平行に入れて、帯状材を二分割することを特徴とする。
この発明によれば、請求項４または５に記載された帯状材の表面に対して略垂直方向から例えば丸鋸の平板状の刃を当てるだけで二本の水切り胴縁を製造できる。したがって、水切り胴縁を容易かつ安価に製造することができる。
【００１２】
請求項７に記載の水切り胴縁の製造方法は、水切り胴縁の厚みに等しい板材３０を準備し、前記板材の表面に切り込みを傾斜した角度でかつ板材の一側縁に平行に入れて、断面略平行四辺形の帯状材３２に分割することを特徴とする。
この発明によれば、平板材の表面に対して例えば丸鋸の平板状の刃を傾斜した一定角度に維持した状態で、板材を一定方向に送り出すだけで製造できるから、請求項５に比べ容易に製造することができる。
【００１３】
請求項８に記載の水切り胴縁の製造方法は、請求項４から７のいずれかに記載の水切り胴縁の製造方法において、前記板材の表面には、予め前記帯状材に切り出す方向と略直交方向の溝１１を形成しておくことを特徴とする。
この発明によれば、予め平板材に切り出す方向と略直交方向の溝を形成しておくので、帯状材に分割された後に溝を形成する場合に比べ一度に加工できるから、水切り胴縁を容易かつ安価に製造することができる。
【００１４】
【発明の実施の形態】
以下、本発明の各実施形態を図面に基づいて説明する。なお、以下の実施形態の説明にあたって、同一構成要件については同一符号を付し、その説明を省略もしくは簡略化する。
〔第１実施形態〕
図１には、本発明の第１実施形態における壁構造１が示されている。
壁構造１は、木造建物の外壁であって、鉛直に設置された胴縁下地としての胴縁下地用パネル１３と、この胴縁下地用パネル１３の外側に全面に亘って設置された防水シート１４と、この防水シート１４の外側に水平かつ高さ方向に所定間隔で設置された複数本の水切り胴縁１０と、これら水切り胴縁１０の表面に取り付けられ、かつ胴縁下地用パネル１３の全面に亘って設置された壁面材としての化粧パネル１５とを含んで構成されている。
【００１５】
水切り胴縁１０は、図２に示すように、断面台形であって長手方向に所定長さを有し、防水シート１４に覆われた胴縁下地用パネル１３に固定される支持面１０Ａと、化粧パネル１５を取り付ける取付面１０Ｃと、取付面１０Ｃおよび支持面１０Ａのうちいずれか一方の面側から他方の面側に向かって下方に傾斜する勾配として、前記支持面１０Ａ側から前記取付面１０Ｃ側に向かって下方に傾斜する勾配を有する上面１０Ｂとを有している。
なお、上面１０Ｂの勾配は、雨水が自然に流れるのに十分な勾配であればよく、適宜決められてよい。
また、取付面１０Ｃ上には、一定間隔置きにその長手方向と直交する方向に断面四角形状に溝１１が設けられ、この溝１１は雨水が通り抜けるのに十分な幅と深さを有するが、この幅と深さは適宜決められてよい。
【００１６】
したがって、暴風雨等により雨水が化粧パネル１５の裏側まで浸入した場合、この雨水は化粧パネル１５の裏面を伝って流れ落ち、水切り胴縁１０の上面１０Ｂに到達して、取付面１０Ｃに設けられた溝１１を通り抜けて自然排水される。また、防水シート１４に雨水が付着した場合も、雨水は防水シート１４を伝って水切り胴縁１０の上面１０Ｂに達し、上面１０Ｂ上を支持面１０Ａ側から取付面１０Ｃ側へと伝って取付面１０Ｃ側に流れ込み、溝１１から排水される。
【００１７】
図３および図４には、本実施形態における水切り胴縁１０の製造方法が示されている。
図３および図４に示すように、水切り胴縁１０に等しい厚みを有する板材としての平板材３０を準備し、図示しない丸鋸を備えた製材機にセットする。なお、製材機は三種類の丸鋸３１Ａ、３１Ｂ、３１Ｃを交換して取り付けできるようになっている。丸鋸３１Ａは溝１１を形成するための断面四角形状の刃を有し、丸鋸３１Ｂは平板材３０を断面三角形状に切り欠くための断面三角形状の刃を有し、丸鋸３１Ｃは平板材３０を二分割するための平板状の刃を有する。
先ず、平板材３０の表面に、その表面に対して垂直方向から丸鋸３１Ａの刃を当て、平板材３０の長手方向（水切り胴縁１０の長手方向）に直交する方向に溝１１を形成し、これを平板材３０の長手方向に一定間隔置きに繰り返す。
次に、この平板材３０の表面に垂直方向から丸鋸３１Ｂの刃を当て、平板材３０の長手方向（水切り胴縁１０の長手方向）に平行に断面三角形状の切り込みを入れ、これを平板材３０の長手方向に直交する幅方向に一定間隔置きに繰り返して断面略台形の帯状材３２とする。
最後に、各帯状材３２にその垂直方向に、かつ、帯状材３２の長手方向に直交する幅方向中央に、丸鋸３１Ｃの刃を当て、帯状材３２の長手方向（水切り胴縁１０の長手方向）に平行に切り込みを入れて、帯状材３２を二分割して水切り胴縁１０とする。
【００１８】
したがって、本記実施形態における水切り胴縁１０によれば、以下の効果がある。
（１）化粧パネル１５を通り抜けて浸入した雨水が化粧パネル１５の裏面を伝って水切り胴縁１０の上面１０Ｂへ流れ落ちてきても、取付面１０Ｃ側に形成された溝１１を通って下方に排水されるから、排水性をよくすることができる。したがって、水切り胴縁１０および化粧パネル１５の裏面の湿潤状態を避けることができるから、耐久性が向上する。
【００１９】
また、本記実施形態における水切り胴縁１０の製造方法によれば、以下の効果がある。
（２）平板材３０の表面に対して垂直方向から丸鋸３１Ａ、３１Ｂ、３１Ｃの刃を当てるだけで水切り胴縁１０を製造できる。したがって、表面に対して傾斜した角度に丸鋸の刃を当てる場合に比べて、丸鋸３１Ａ、３１Ｂ、３１Ｃの刃を傷めることなく正確に加工できるので、水切り胴縁１０を容易に製造することができる。
（３）予め平板材３０に溝１１を形成しておくので、帯状材３２に分割された後に溝１１を形成する場合に比べ一度に加工できるから、水切り胴縁１０を容易かつ安価に製造することができる。
【００２０】
〔第２実施形態〕
本発明の第２実施形態における水切り胴縁５０が第１実施形態と異なる点は、図５に示すように、断面平行四辺形である点である。
この水切り胴縁５０の製造方法は、図６に示すように、予め溝１１を形成した平板材３０の表面に、この表面に対して傾斜した一定の角度で丸鋸３１Ｃの刃を当てて、平板材３０の長手方向に平行に切り込みを入れ、平板材３０を断面略平行四辺形の帯状材３２に分割する。つまり、丸鋸３１Ｃはその傾斜角度を固定したままで平板材３０の長手方向に往復運動させながら、平板材３０の長手方向に直交する方向に平板材３０を一定間隔で送り出して帯状材３２を製造する。そして、この帯状材３２を水切り胴縁５０とする。
したがって、本実施形態によれば、第１実施形態で述べた(１)、(３)の効果に加えて以下の効果がある。
【００２１】
（４）平板材３０の表面に対して丸鋸３１Ｃの刃を傾斜した一定の角度に維持した状態で、平板材３０を一定方向に送り出すだけで製造できるから、第１実施形態に比べ容易に製造することができる。
【００２２】
なお、本発明は、前述の実施形態に限定されるものではなく、本発明の目的を達成できる範囲での変形、改良等は本発明に含まれるものである。
例えば、第１実施形態では、平板材３０の表面に垂直方向から丸鋸３１Ｂの刃を当て、平板材３０の長手方向に平行に断面三角形状の切り込みを入れて断面略台形の帯状材３２を形成したが、図７および図８に示す水切り胴縁７０のように、平板材３０の表面に対して交互に逆向きとなるように丸鋸３１Ｃの刃を当て、平板材３０の長手方向に平行に切り込みを入れて断面略台形の帯状材３２を形成してもよい。
そして、第１実施形態と同様に、各帯状材３２の長手方向に直交する幅方向中央に、帯状材３２の長手方向（水切り胴縁７０の長手方向）に平行に切り込みを入れて、帯状材３２を２分割して水切り胴縁７０としてもよい。
このようにしても、平板材３０に無駄になる部分が少ないから、水切り胴縁７０を安価に製造することができる。
なお、帯状材３２を水切り胴縁７０に分割する前に溝１１を帯状材３２に設けても構わない。このようにすれば、水切り胴縁７０に分割後に溝１１を形成する場合に比べ一度に加工できるから、水切り胴縁７０を容易かつ安価に製造することができる。
【００２３】
また、各実施形態では、水切り胴縁１０，５０に溝１１を設けて排水路としたが、溝１１を設けずに取付面１０Ｃと化粧パネル１５との間にワッシャー等を介在させて隙間を形成し、この隙間を排水路として利用してもよい。このようにすれば、上面１０Ｂの勾配によって取付面１０Ｃ側へ流れた雨水が排水路を通って下方に排水されるから、排水性をよくすることができる。また、水切り胴縁の形状が単純化されるから、水切り胴縁を更に容易かつ安価に製造することができる。
【００２４】
また、各実施形態では、上面１０Ｂに支持面１０Ａ側から取付面１０Ｃ側に向かって下方に傾斜する勾配を形成したが、取付面１０Ｃ側から支持面１０Ａ側に向かって下方に傾斜する勾配を形成してもよい。このようにしても、第１実施形態で述べた(２)(３)の効果および第２実施形態で述べた(４)の効果に加え、以下の効果を奏することができる。
（５）化粧パネル１５を通り抜けて浸入した雨水が化粧パネル１５の裏面を伝って水切り胴縁１０の上面１０Ｂへ流れ落ちてきても、その雨水は取付面１０Ｃ側から支持面１０Ａ側へ流れ、支持面１０Ａに形成された溝１１を通って下方に排水されるから、排水性をよくすることができる。したがって、水切り胴縁１０および化粧パネル１５の裏面の湿潤状態を避けることができるから、耐久性が向上する。
また、製造工程において平板材３０を切り出す角度を変えるだけでよいから、容易に製造でき、安価である。
【００２５】
【発明の効果】
本発明である水切り胴縁構造、水切り胴縁およびその製造方法によれば、以下の効果を奏することができる。
請求項１に記載の発明によれば、壁面材を通り抜けて浸入した雨水が壁面材裏面を伝って水切り胴縁の上面へ流れ落ちてきても、その雨水は上面の勾配によって取付面および支持面のうちいずれか一方の面側から他方の面側へ流れ、更に他方の面側に設けられた排水路を通って下方に排水されるから、排水性をよくすることができる。したがって、水切り胴縁、胴縁下地および壁面材の湿潤状態を避けることができるから、耐久性が向上する。
特に、上面に取付面側から支持面側に向かって下方に傾斜する勾配を設けた場合は、壁面材裏面の湿潤状態を避けることができ、また、上面に支持面側から取付面側に向かって下方に傾斜する勾配を設けた場合、胴縁下地表面の湿潤状態を避けることができる。
ここにおいて、排水路は、水切り胴縁の他方の面に溝を形成してもよいが、他方の面とそれに対向する胴縁下地または壁面材との間にスペーサを一定間隔置きに介在させて構成してもよい。
【００２６】
請求項２に記載の発明によれば、請求項１と同様に、排水性をよくすることができる。
【００２７】
請求項３に記載の発明によれば、上面へ流れ落ちてきた雨水が、他方の面に設けられた溝を通って下方に排水されるから、請求項１と同様に、排水性をよくすることができる。また、この構成であれば、部品点数を少なくすることができる。
【００２８】
請求項４に記載の発明によれば、平板材の表面に対して略垂直方向から例えば丸鋸の断面略三角形状の刃を当てるだけで水切り胴縁を製造できる。したがって、表面に対して傾斜した角度に丸鋸の刃を当てる場合に比べて、丸鋸の刃を傷めることなく正確に加工できるので、水切り胴縁を容易に製造することができる。
【００２９】
請求項５に記載の発明によれば、平板材の表面に対して傾斜した角度で例えば丸鋸の平板状の刃を当てるだけで水切り胴縁を製造できる。したがって、請求項４に記載した水切り胴縁の製造方法に比べて、材料の無駄が少ないから、水切り胴縁を安価に製造することができる。
【００３０】
請求項６に記載の発明によれば、請求項４または５に記載された帯状材の表面に対して略垂直方向から例えば丸鋸の平板状の刃を当てるだけで二本の水切り胴縁を製造できる。したがって、水切り胴縁を容易かつ安価に製造することができる。
【００３１】
請求項７に記載の発明によれば、平板材の表面に対して例えば丸鋸の平板状の刃を傾斜した一定角度に維持した状態で、板材を一定方向に送り出すだけで製造できるから、請求項５に比べ容易に製造することができる。
【００３２】
請求項８に記載の発明によれば、予め平板材に切り出す方向と略直交方向の溝を形成しておくので、帯状材に分割された後に溝を形成する場合に比べ一度に加工できるから、水切り胴縁を容易かつ安価に製造することができる。
【図面の簡単な説明】
【図１】本発明の第１実施形態における水切り胴縁を示す断面図である。
【図２】第１実施形態における水切り胴縁の斜視図である。
【図３】第１実施形態における水切り胴縁の製造方法を示す斜視図である。
【図４】第１実施形態における水切り胴縁の製造方法の断面図である。
【図５】本発明の第２実施形態を示す断面図である。
【図６】第２実施形態の斜視図である。
【図７】本発明の変形例を示す断面図である。
【図８】変形例の斜視図である。
【図９】本発明の従来例を示す断面図である。
【符号の説明】
１０，５０，７０    水切り胴縁
１０Ａ        支持面
１０Ｂ        上面
１０Ｃ        取付面
１１          溝
１３          胴縁下地としての胴縁下地用パネル
１４          防水シート
１５          壁面材としての化粧パネル
３０          板材としての平板材
３１Ａ、３１Ｂ、３１Ｃ    丸鋸
３２          帯状材
【図１】
0004390977.tif 000002
【図２】
0004390977.tif 000003
【図３】
0004390977.tif 000004
【図４】
0004390977.tif 000005
【図５】
0004390977.tif 000006
【図６】
0004390977.tif 000007
【図７】
0004390977.tif 000008
【図８】
0004390977.tif 000009
【図９】
0004390977.tif 000010